(57)【要約】      （修正有）【課題】屋根の上側に設けられた小屋根により通気用開口を適宜開閉可能にする折り畳みテントを提供する。【解決手段】折り畳みテントは、屋根構造体と、屋根構造体の上に張られ、開口５ａを有する屋根用シート５と、屋根構造体の上における開口５ａに対応する位置に設けられる小屋根構造体と、小屋根構造体の上に張られる小屋根用シート７とを備える。小屋根構造体は、屋根構造体に基端部１３ａが枢支され、先端部１３ｂが屋根構造体の上側に接近した閉位置Ｐ１及び屋根構造体の略上方に離れた開位置Ｐ２の間で回動可能に構成された小屋根支持フレーム１３を備える。小屋根用シート７は、伸縮性を備えており、縁部が小屋根支持フレームの先端部１３ｂに接続されて、先端部１３ｂを基端部１３ａ側に付勢することにより、小屋根支持フレームを閉位置Ｐ１及び開位置Ｐ２のいずれか一方の位置に選択的に保持させる。【選択図】図４
0003202050.tif 000002
【実用新案登録請求の範囲】
【請求項１】
屋根を構成する屋根構造体と、該屋根構造体上に張られ、開口を有する屋根用シートと、該屋根構造体上における前記開口に対応する位置に設けられ、前記屋根の上に小屋根を構成する小屋根構造体と、該小屋根構造体上に張られる小屋根用シートとを備える折り畳みテントであって、
前記小屋根構造体は、前記屋根構造体に基端部が枢支されることにより、先端部が該屋根構造体の上側に接近した閉位置及び該閉位置の略上方に離れた開位置の間で回動可能に構成された小屋根支持フレームを備え、
前記小屋根用シートは、伸縮性を備えており、縁部が前記小屋根支持フレームの前記先端部に接続されて、該先端部を前記小屋根支持フレームの前記基端部側に付勢することにより、前記小屋根支持フレームを前記閉位置及び開位置のいずれか一方の位置に選択的に保持させるように構成されている折り畳みテント。
【請求項２】
前記小屋根構造体は、前記小屋根支持フレームの上方への回動範囲を調節することにより前記開位置を調節する開位置調節手段を備えている請求項１記載の折り畳みテント。
【請求項３】
前記小屋根構造体は、前記小屋根支持フレームを前記開位置に固定する開位置固定手段を備えている請求項１又は２記載の折り畳みテント。
【請求項４】
前記小屋根構造体は、前記小屋根支持フレームを前記閉位置に固定する閉位置固定手段を備えている請求項１〜３のいずれか一項に記載の折り畳みテント。
【請求項５】
前記小屋根構造体は、前記小屋根用シートの張力を調節する張力調節手段を備えている請求項１〜４のいずれか一項に記載の折り畳みテント。
【考案の詳細な説明】
【技術分野】
【０００１】
本考案は、折り畳み可能に構成された折り畳みテントに関するものである。
【背景技術】
【０００２】
第１の従来例の折り畳みテントとしては、特許文献１に記載された折り畳み式覆い装置を例示する。この装置は、パラソル部を備えている。パラソル部は、垂直軸の周りに放射状に配置される複数本の下側屋根骨と、中央に開口が設けられ、該下側屋根骨上に張られる大屋根用シートと、下側屋根骨上に所定間隔を隔てて前記垂直軸の周りに放射状に配設された複数本の上側屋根骨と、該上側屋根骨の上に張られ、平面視で前記開口を覆う小屋根用シートとを備えている。下側屋根骨及び上側屋根骨は、連動用のリンクで連結されており、下側屋根骨と上側屋根骨が平行な状態を保って連動するように構成されている。これにより、下側屋根骨を開くと、それに連動して上側屋根骨も開くようになっている。そのため、装置を展開すると、大屋根用シートと小屋根用シートの間に通気用の開口が自動的に形成されるようになっている。
【０００３】
第２の従来例の折り畳みテントとしては、特許文献２に記載された折り畳み式テントを例示する。このテントは、複数のルーフバーに装着された天幕と、天幕のルーフバー連結部の近傍領域に設けられた開口部と、ルーフバー連結部に固定され、開口部を覆うとともに、天幕との間で空気が通過可能に重畳するカバーとを備えている。これにより天幕とカバーの間に空気が通過可能な隙間が形成されるようになっている。天幕とカバーは面ファスナーで着脱可能に接続されており、面ファスナーの貼り合わせ位置をずらすことにより、隙間の大きさが調節可能になっている。
【先行技術文献】
【特許文献】
【０００４】
【特許文献１】特公平８−３２９４号公報
【特許文献２】実用新案登録第３１５９５９８号公報
【考案の概要】
【考案が解決しようとする課題】
【０００５】
ところが、特許文献１の装置では、下側屋根骨の展開に連動して自動的に上側屋根骨も展開するように構成されているため、部品点数が多くなり、コストが掛かるという課題がある。また、大屋根用シートと小屋根用シートの間における通気用の開口を閉じたり、該開口の大きさを調節したりすることができないという課題がある。
【０００６】
また、特許文献２の装置では、面ファスナーの貼り合わせ位置に応じて天幕とカバーの隙間を僅かに調節することはできても、カバーの周辺部を天幕から離して支持する構成を備えていないため、天幕とカバーの間を大きく開口させた状態に保持することができないという課題がある。
【課題を解決するための手段】
【０００７】
前記課題を解決するために、第１の考案の折り畳みテントは、
屋根を構成する屋根構造体と、該屋根構造体上に張られ、開口を有する屋根用シートと、該屋根構造体上における前記開口に対応する位置に設けられ、前記屋根の上に小屋根を構成する小屋根構造体と、該小屋根構造体上に張られる小屋根用シートとを備える折り畳みテントであって、
前記小屋根構造体は、前記屋根構造体に基端部が枢支されることにより、先端部が該屋根構造体の上側に接近した閉位置及び該閉位置の略上方に離れた開位置の間で回動可能に構成された小屋根支持フレームを備え、
前記小屋根用シートは、伸縮性を備えており、縁部が前記小屋根支持フレームの前記先端部に接続されて、該先端部を前記小屋根支持フレームの前記基端部側に付勢することにより、前記小屋根支持フレームを前記閉位置及び開位置のいずれか一方の位置に選択的に保持させるように構成されている。
【０００８】
この構成によれば、前記小屋根支持フレームを前記閉位置にして前記屋根用シートの前記開口を前記小屋根で閉じたり、前記開位置にして前記開口を開いたりすることが適宜できる。また、前記小屋根支持フレームは、前記小屋根用シートの付勢力により位置保持されるように構成されているため、利用者が前記小屋根支持フレームを手で押し上げたり、押し下げたりすることにより、簡単に小屋根を開いたり、閉じたりすることができる。これにより、暑いときに屋根内の熱気を逃がしたり、強風時に風を抜けさせたりするために、小屋根を開けておくことができる。また、寒いときに屋根内の暖気が逃げないようにしたり、降雨時に雨が降り込まないようにしたりするために、小屋根を閉じておくことができる。また、前記小屋根が閉じた状態において、屋根内に強風が吹き込んだときは、その風圧により前記小屋根が自動的に開き、そこに風を通過させることにより、テントの振動、移動、変形又は破損を低減又は回避することができる。さらに、第１の従来例の構成よりも、簡単な構成で小屋根を備えた折り畳みテントを実現することができ、部品点数の削減、組立コストの削減等をすることができる。
【０００９】
第２の考案の折り畳みテントとしては、前記第１の考案において、
前記小屋根構造体は、前記小屋根支持フレームの上方への回動範囲を調節することにより前記開位置を調節する開位置調節手段を備えている態様を例示する。
【００１０】
この構成によれば、前記屋根用シートの前記開口の開き具合を適宜調節できる。
【００１１】
第３の考案の折り畳みテントとしては、前記第１又は２の考案において、
前記小屋根構造体は、前記小屋根支持フレームを前記開位置に固定する開位置固定手段を備えている態様を例示する。
【００１２】
この構成によれば、前記小屋根支持フレームを前記開位置に適宜固定することができる。
【００１３】
第４の考案の折り畳みテントとしては、前記第１〜３のいずれかの考案において、
前記小屋根構造体は、前記小屋根支持フレームを前記閉位置に固定する閉位置固定手段を備えている態様を例示する。
【００１４】
この構成によれば、前記小屋根支持フレームを前記閉位置に適宜固定することができる。
【００１５】
第５の考案の折り畳みテントとしては、前記第１〜４のいずれかの考案において、
前記小屋根構造体は、前記小屋根用シートの張力を調節する張力調節手段を備えている態様を例示する。
【００１６】
この構成によれば、前記小屋根用シートが前記小屋根支持フレームの先端部を付勢する力を適宜調節することができる。
【考案の効果】
【００１７】
本考案に係る折り畳みテントによれば、屋根の開口の上側に設けられた小屋根構造体により、該開口を適宜開閉できるという優れた効果を奏する。
【図面の簡単な説明】
【００１８】
【図１】本考案を具体化した一実施形態に係る折り畳みテントの側面図である。
【図２】同折り畳みテントの平面図である。
【図３】図２の部分拡大図である。
【図４】図３のＩＶ−ＩＶ線断面図である。
【図５】同折り畳みテントの小屋根支持フレームを示す図であり、（ａ）は図４のＶａ−Ｖａ線断面図、（ｂ）は図４のＶｂ−Ｖｂ線断面図である。
【図６】同折り畳みテントの小屋根支持フレームの側面図であり、（ａ）は図５（ａ）に対応しており、（ｂ）は図５（ｂ）に対応している。
【図７】同折り畳みテントを折り畳んだ状態を示す側断面図である。
【図８】同折り畳みテントの変更例を示す断面図である。
【図９】同折り畳みテントの別の変更例を示す断面図である。
【考案を実施するための形態】
【００１９】
図１〜図７は本考案を具体化した一実施形態の折り畳みテント１を示している。このテント１は、野外等で仮設され使用されるものであり、図１及び図２に示すように、支持面に立設された複数本（本例では４本）の支柱２と、隣接する支柱２同士の上部にそれぞれ掛け渡された連結フレーム３と、該支柱の上端に支持され、屋根を構成する屋根構造体４と、該屋根構造体４の上に張られ、開口５ａを有する屋根用シート５と、該屋根構造体４の上側における開口５ａに対応する位置に設けられ、前記屋根の上に小屋根を構成する小屋根構造体６と、該小屋根構造体６の上に張られる小屋根用シート７とを備えている。
【００２０】
支柱２は、入れ子状に構成された２本のパイプ材２ａ，２ｂにより、伸縮可能に構成されるとともに、伸びた状態で固定するための固定手段２ｃを備えている。支柱２の上端には固定連結体２ｄが設けられ、その下方には上下移動自在に移動連結体２ｅが設けられている。
【００２１】
連結フレーム３は、鋏状に連結された複数のクロス杆３ａの各端部が枢軸連結されてなっている。連結フレーム３の両端は、上側端部が固定連結体２ｄに枢軸連結され、下側端部が移動連結体２ｅに枢軸連結されている。この連結フレーム３により、隣接する支柱２同士の間隔を狭めることにより折り畳み状態にしたり、同間隔を広げることにより使用状態にしたりすることが可能になっている。
【００２２】
屋根構造体４は、平面視で中央に配設された頂部１０の周りに放射状に伸びる複数（本例では４本）の屋根支持フレーム１１を備えている。屋根支持フレーム１１の内側端部及び外側端部は、それぞれ頂部１０及び固定連結体２ｄに枢軸連結されている。屋根支持フレーム１１は、その長さ方向の途中部に関節部１１ａが設けられ、直線状に延びた状態と、略Ｖ字状に折り畳んだ状態との間で曲げ伸ばし可能になっている。
【００２３】
屋根用シート５は、支柱２の上部、連結フレーム３で接続された支柱２の上部と屋根構造体を覆うように形成されているとともに、平面視で中央に四角形状の開口５ａが設けられている。
【００２４】
小屋根構造体６は、屋根構造体４の屋根支持フレーム１１に基端部１３ａが枢支されることにより、先端部１３ｂが屋根支持フレーム１１の上側に接近した閉位置Ｐ１及び該閉位置Ｐ１の略上方に離れた開位置Ｐ２の間で回動可能に構成された小屋根支持フレーム１３を備えている。小屋根支持フレーム１３の基端部１３ａには、下方が開口した溝１５が形成されている。そして、図３〜図６に示すように、小屋根支持フレーム１３の基端部１３ａは、溝１５の両側壁が屋根支持フレーム１１の両側面を挟持するように配設されるとともに、ピン１６により屋根支持フレーム１１に枢支されている。小屋根支持フレーム１３の閉位置Ｐ１は、溝１５の先端部側の天井部１５ａが屋根支持フレーム１１に当接する位置となっている。また、開位置Ｐ２は、溝１５の反先端部側の天井部１５ａが屋根支持フレーム１１に当接する位置となっている。
【００２５】
小屋根用シート７は、伸縮性を備えるシート材により平面視で四角形状に形成されており、図３に示すように、その下面における縁部としての四隅には前記四角形状の対角方向が開口し、小屋根支持フレーム１３の先端部１３ｂが挿入可能に形成されたポケット７ａがそれぞれ設けられている。そして、小屋根用シート７は、各ポケット７ａにそれぞれ小屋根支持フレーム１３の先端部１３ｂが挿入された状態にすると、該先端部１３ｂを小屋根支持フレーム１３の基端部１３ａ側に付勢するようになっており、それにより、小屋根支持フレーム１３を閉位置Ｐ１（図４（ａ）、図５（ａ）及び図６（ａ）参照）及び開位置Ｐ２（図４（ｂ）、図５（ｂ）及び図６（ｂ）参照）のいずれか一方の位置に選択的に保持させるように構成されている。なお、テント１を折り畳むときは、図７に示すように、小屋根支持フレーム１３を閉位置Ｐ１にしておく。
【００２６】
以上のように構成された本例の折り畳みテント１によれば、小屋根支持フレーム１３を閉位置Ｐ１にして屋根用シート５の開口５ａを小屋根で閉じたり、開位置Ｐ２にして開口５ａを開いたりすることが適宜できる。また、小屋根支持フレーム１３は、小屋根用シート７の付勢力により位置保持されるように構成されているため、利用者が小屋根支持フレーム１３を手で押し上げたり、押し下げたりすることにより、簡単に小屋根を開いたり、閉じたりすることができる。これにより、暑いときに屋根内の熱気を逃がしたり、強風時に風を抜けさせたりするために、小屋根を開けておくことができる。また、寒いときに屋根内の暖気が逃げないようにしたり、降雨時に雨が降り込まないようにしたりするために、小屋根を閉じておくことができる。また、小屋根が閉じた状態において、屋根内に強風が吹き込んだときは、その風圧により小屋根が自動的に開き、そこに風を通過させることにより、折り畳みテント１の振動、移動、変形又は破損を低減又は回避することができる。さらに、第１の従来例の構成よりも、簡単な構成で小屋根を備えた折り畳みテント１を実現することができ、部品点数の削減、組立コストの削減等をすることができる。
【００２７】
なお、本考案は前記実施形態に限定されるものではなく、例えば以下のように、考案の趣旨から逸脱しない範囲で適宜変更して具体化することもできる。
（１）小屋根構造体６は、小屋根支持フレーム１３の上方への回動範囲を調節することにより開位置Ｐ２を調節する開位置調節手段を備えている態様。例えば、図８の断面図に示すように、小屋根支持フレーム１３の基端部１３ａに対し、溝１５の反先端部側の天井部１５ａからの突出長を調節可能に調節ネジ２０を設け、該調節ネジ２０の突出長を調節することにより、小屋根支持フレーム１３の上方への回動範囲を調節するように構成することが挙げられる。この構成によれば、屋根用シート５の開口５ａの開き具合を適宜調節できる。
（２）小屋根構造体６は、小屋根支持フレーム１３が回動しないようにして開位置Ｐ２に固定する開位置固定手段を備えている態様。例えば、図６（ａ）に二点鎖線で仮想的に示すように、小屋根支持フレーム１３の基端部１３ａと屋根支持フレーム１１とに、小屋根支持フレーム１３が開位置Ｐ２にあるときに互いに重なり合う部位にそれぞれ穴を設けておき、該両穴にピン２２を挿入することにより、開位置Ｐ２に固定するように構成することが挙げられる。この構成によれば、小屋根支持フレーム１３を開位置Ｐ２に適宜固定することができる。
（３）小屋根構造体６は、小屋根支持フレーム１３が回動しないようにして閉位置Ｐ１に固定する閉位置固定手段を備えている態様。例えば、図６（ｂ）に二点鎖線で仮想的に示すように、小屋根支持フレーム１３の基端部１３ａと屋根支持フレーム１１とに、小屋根支持フレーム１３が閉位置Ｐ１にあるときに互いに重なり合う部位にそれぞれ穴を設けておき、該両穴にピン２４を挿入することにより、閉位置Ｐ１に固定するように構成することが挙げられる。この構成によれば、小屋根支持フレーム１３を閉位置Ｐ１に適宜固定することができる。
（４）小屋根構造体６は、小屋根用シート７の張力を調節する張力調節手段を備えている態様。例えば、図９の断面図に示すように、頂部１０の上端部１０ａの位置を調節ネジ２６によって上下に調節可能に構成することにより、小屋根用シート７の張力を調節可能に構成することが挙げられる。この構成によれば、小屋根用シート７が小屋根支持フレーム１３の先端部１３ｂを付勢する力を適宜調節することができる。
（５）前記実施形態とは異なる構成の折り畳みテントに本発明を適用すること。例えば、支柱２を備えておらず、屋根構造体４が支持面上に載置されるように構成されるとともに、該屋根構造体４に出入口が設けられてなる折り畳みテントに本発明を適用することを例示する。
【符号の説明】
【００２８】
１    折り畳みテント
２    支柱
２ａ  パイプ材
２ｂ  パイプ材
２ｃ  固定手段
２ｄ  固定連結体
２ｅ  移動連結体
３    連結フレーム
３ａ  クロス杆
４    屋根構造体
５    屋根用シート
５ａ  開口
６    小屋根構造体
７    小屋根用シート
７ａ  ポケット
１０    頂部
１０ａ  上端部
１１    屋根支持フレーム
１１ａ  関節部
１３    小屋根支持フレーム
１３ａ  基端部
１３ｂ  先端部
１５    溝
１５ａ  天井部
１６    ピン
２０    調節ネジ
２２    ピン
２４    ピン
２６    調節ネジ
Ｐ１    閉位置
Ｐ２    開位置
【図１】
0003202050.tif 000003
【図２】
0003202050.tif 000004
【図３】
0003202050.tif 000005
【図４】
0003202050.tif 000006
【図５】
0003202050.tif 000007
【図６】
0003202050.tif 000008
【図７】
0003202050.tif 000009
【図８】
0003202050.tif 000010
【図９】
0003202050.tif 000011